(57)【要約】【課題】  メンテナンス期間が比較的長く、メンテナンスが容易に行える特に出入口側の路面に設置可能なＬＥＤ標識灯を提供する。【解決手段】  ＬＥＤ標識灯１は、複数個の発光ダイオード７および複数個の発光ダイオード７をそれぞれの放射方向が揃うようにして一面８ａに直線状に配設している基体８を有するＬＥＤ体２と、ＬＥＤ体２を収容している筒状の透光性のグローブ３と、発光ダイオード７を点灯する点灯装置４と、点灯装置４を収納している灯体本体５と、ＬＥＤ体２およびグローブ３のそれぞれの両端側を固定するようにして灯体本体５に取り付けられた一対の側面カバー６ａ，６ｂとを具備している。【選択図】図３
2010009973.tif 000002
【特許請求の範囲】
【請求項１】
複数個の発光ダイオードおよびこの複数個の発光ダイオードをそれぞれの放射方向が揃うようにして一面に直線状に配設している基体を有するＬＥＤ体と；
このＬＥＤ体を収容している筒状の透光性のグローブと；
発光ダイオードを点灯する点灯装置と；
この点灯装置を収納している灯体本体と；
ＬＥＤ体およびグローブのそれぞれの両端側を固定するようにして灯体本体に取り付けられた一対の側面カバーと；
を具備していることを特徴とするＬＥＤ標識灯。
【請求項２】
配線コネクタを配設し、リード線を介して点灯装置に接続されている中継基板と；
を具備し、一方の側面カバーは、配線コネクタがグローブ内に露出するように中継基板を取り付けており、ＬＥＤ体は、配線コネクタに配線されていることを特徴とする請求項1記載のＬＥＤ標識灯。
【発明の詳細な説明】
【技術分野】
【０００１】
本発明は、空港や道路などにおいて、交通標識などに用いられるＬＥＤ標識灯に関する。
【背景技術】
【０００２】
空港における滑走路や誘導路などの路幅あるいは道路の路肩位置などを表示するため、路辺に沿い地表面上に設置される標識灯がある。この地上形の標識灯は、路上を走行する航空機や自動車の操縦者や運転者へ、路肩などの存在を知らせる作用をなし、路上を安全に誘導する働きをしている。
【０００３】
ところで、滑走路や誘導路の出入口側に設置される標識灯は、棒状の発光体が用いられている。すなわち、操縦者に、棒状の発光体を視認させることにより、滑走路や誘導路の出入口を認識させることが行われている。そして、棒状の発光体として蛍光ランプが使用されている（非特許文献１参照。）。
【非特許文献１】灯仕第１６２号改４、Ｔ−２型誘導標識灯仕様書、昭和５７年４月１２日改正、運輸省航空局
【発明の開示】
【発明が解決しようとする課題】
【０００４】
蛍光ランプを用いた標識灯は、その点灯回路が比較的高電圧回路のため、高度の絶縁性能を要するとともに、熱陰極の予熱回路なども必要で複雑な回路装置を要し、全体的に複雑な構成であるという欠点を有する。また、蛍光ランプは、温度依存性があり、特に低温では点灯始動性の低下や明るさの低下などが見られるという欠点を有する。さらに、標識灯の蛍光ランプは、電球よりは長寿命であるが、数千時間のオーダーである。このため、メンテナンスを比較的短期間で行う必要があり、複雑な構成のためにメンテナンスに手間や時間を要していた。
【０００５】
本発明は、メンテナンス期間が比較的長く、メンテナンスが容易に行える特に出入口側の路面に設置可能なＬＥＤ標識灯を提供することを目的とする。
【課題を解決するための手段】
【０００６】
請求項１に記載のＬＥＤ標識灯の発明は、複数個の発光ダイオードおよびこの複数個の発光ダイオードをそれぞれの放射方向が揃うようにして一面に直線状に配設している基体を有するＬＥＤ体と；このＬＥＤ体を収容している筒状の透光性のグローブと；発光ダイオードを点灯する点灯装置と；この点灯装置を収納している灯体本体と；ＬＥＤ体およびグローブのそれぞれの両端側を固定するようにして灯体本体に取り付けられた一対の側面カバーと；を具備していることを特徴とする。
【０００７】
本発明および以下の発明において、特に言及しない限り、各構成は以下による。
【０００８】
「発光ダイオードを直線状に配設している」とは、発光ダイオードが基体に直線上に設けられていることに限らず、多少蛇行して設けられていてもよいことを意味する。また、一列に限らず、複数列に設けられていてもよい。
【０００９】
発光ダイオードの放射方向は、主として光を放射する方向を示し、ひとつの方向に限定されない。例えば、発光ダイオードは、主として光軸を中心として互いに反対方向に光を放射するように構成されていてもよい。また、発光ダイオードは、その放射方向が基体の長手方向と直交する方向であることが望ましい。また、複数個の発光ダイオードは、基体に等間隔で設けられていることが望ましい。
【００１０】
本発明によれば、ＬＥＤ体およびグローブは、一対の側面カバーを介して灯体本体に着脱される。したがって、メンテナンス時、側面カバーを灯体本体から取り外すことにより、ＬＥＤ体およびグローブの組み立てを容易に分解することができて、メンテナンス作業が容易に行える。
【００１１】
請求項２に記載のＬＥＤ標識灯の発明は、請求項1記載のＬＥＤ標識灯において、配線コネクタを配設し、リード線を介して点灯装置に接続されている中継基板と；を具備し、一方の側面カバーは、配線コネクタがグローブ内に露出するように中継基板を取り付けており、ＬＥＤ体は、配線コネクタに配線されていることを特徴とする。
【００１２】
本発明によれば、配線がない他方の側面カバーを灯体本体から取り外すことにより、メンテナンス作業が行える。
【発明の効果】
【００１３】
請求項１の発明によれば、複数個の発光ダイオードが同一方向に揃って光を放射するように基体の一面に直線状に配設されているので、放射光の出射効率が向上するとともに、側面カバーを取り外すことによりメンテナンス作業が容易に行えるので、省力化が図れるＬＥＤ標識灯を提供することができる。
【００１４】
請求項２の発明によれば、ＬＥＤ体は、一方の側面カバーに配設された中継基板の配線コネクタに配線されているので、配線がない他方の側面カバーを灯体本体から容易に取り外すことができ、ＬＥＤ体およびグローブの組み立てを容易に分解することができる結果、メンテナンス作業を迅速に行うことができる。
【発明を実施するための最良の形態】
【００１５】
以下、本発明の一実施の形態について、図面を参照して説明する。
【００１６】
図１ないし図８は、本発明の一実施の形態を示し、図１はＬＥＤ標識灯であり、（ａ）は概略上面図、（ｂ）は概略正面図、図２はＬＥＤ標識灯の概略側面図、図３はＬＥＤ標識灯の概略正面縦断面図、図４はＬＥＤ体の概略分解上面図、図５は一方の側板カバーであり、（ａ）は概略正面図、（ｂ）は（ａ）のＡ−Ａ方向の概略断面図、（ｃ）は概略背面図、図６は他方の側板カバーであり、（ａ）は概略正面図、（ｂ）は（ａ）のＢ−Ｂ方向の概略断面図、（ｃ）は概略背面図、図７は側面カバーおよびグローブの概略横断面図、図８は側面カバーおよびグローブの概略縦断面図である。
【００１７】
図３において、ＬＥＤ標識灯１は、ＬＥＤ体２、グローブ３、点灯装置４、灯体本体５および一対の側面カバー６ａ，６ｂを有して構成されている。ＬＥＤ標識灯１は、ＬＥＤ体２がグローブ３に収容され、それらの両端が側面カバー６ａ，６ｂに挟持され、側面カバー６ａ，６ｂが灯体本体５に固定されている。
【００１８】
ＬＥＤ体２は、図４に示すように、発光ダイオード（ＬＥＤ）７、基体８、絶縁体としての放熱シート９および台座１０を有して構成されている。発光ダイオード７は、面実装形であり、レンズを備え、主として光軸を中心として互いに反対方向に光を放射するように構成されている。また、発光ダイオード７は、例えば青色光を放射するように形成されている。
【００１９】
基体８は、伝熱性を有する金属例えばアルミニウム（Ａｌ）からなり、板状の細長い長方形に形成されている。そして、一面８ａから発光ダイオード７をねじ止めするための一対のねじ孔１１，１１が等間隔で形成されている。ねじ孔１１，１１は、ねじ孔１１，１１を結ぶ方向が基体８の長手方向と直交する方向となるように設けられている。したがって、複数個の発光ダイオード７は、基体８の一面８ａに直線状に配設され、それぞれの放射方向が揃うとともに、基体８の長手方向に沿ってほぼ均等な光を放射することができる。
【００２０】
また、基体８には、連結ネジ１２，１２を挿通するための一対の孔１３，１３が等間隔で複数箇所に設けられている。孔１３，１３には、例えばナイロンからなる絶縁スペーサ１４が取り付けられている。そして、放熱シート９には、孔１２，１２に対応する孔１５，１５が形成され、台座１０には、同じく、ねじ孔１６，１６が設けられている。連結ネジ１２，１２は、放熱シート９の孔１２，１２を挿通して、台座１０のねじ孔１６，１６に螺着されている。これにより、発光ダイオード７を実装した基体８は、放熱シート９を介して台座１０に固定されている。
【００２１】
放熱シート９は、例えばポリエチレンテレフタレート（ＰＥＴ）樹脂からなり、基体８と同形状に形成されている。放熱シート９は、基体８と台座１０とを絶縁させるとともに、発光ダイオード７から基体８に伝熱された熱を台座１０に伝熱させる。
【００２２】
台座１０は、伝熱性を有する金属例えばアルミニウム（Ａｌ）からなり、基体７および放熱シート８が取り付けられる平面部１０ａを有し、この平面部１０ａを除く外面がグローブ３の内面に沿う略円弧状に形成された棒状体である。そして、両端面１０ｂ，１０ｂに、それぞれ所定の深さを有する一対のねじ取付け部１７，１７が設けられている。台座１０は、ねじ取付け部１７，１７に螺着されたネジにより、一対の側面カバー６ａ，６ｂに固定される。すなわち、ＬＥＤ体２は、一対の側面カバー６ａ，６ｂに固定されている。そして、ＬＥＤ体２は、グローブ３に収容されている。
【００２３】
グローブ３は、透光性の乳白ポリカーボネート（ＰＣ）樹脂からなり、円筒状に形成されている。その長手寸法は、図３に示すように、ＬＥＤ体２の基体８よりも幾分長くなっている。ＬＥＤ体２は、側面カバー６ａ，６ｂに固定されているときに、台座１０の円弧状外面がグローブ３の下部側内面に近接するようにしてグループ３に収容されている。グローブ３内の上部側には、空間１８が形成されている。
【００２４】
点灯装置４は、灯体本体５の上部体１９に収納されている。点灯装置４は、後述するように、ＬＥＤ体２に一方の側面カバー６ｂを通して配線している。点灯装置４は、給電されると、発光ダイオード７に電流を供給して発光ダイオード７を点灯させる。また、点灯装置４は、図２に示すように、上部体１９の外面に設けた切換スイッチ２０の切り換えに応じて、発光ダイオード７を定格（全光）点灯または調光点灯させるように形成されている。
【００２５】
灯体本体２は、図３に示すように、上部体１９、下部体２１およびアーム金具２２により構成されている。上部体１９は、アルミ鋳物からなり、正面視逆台形の有底の略箱状に形成されている。そして、その底面１９ａに点灯装置４の回路部品などを配設している。上部体１９は、下部体２１の一端側２１ａに図示しないネジにより固定されている。
【００２６】
下部体２１は、アルミ鋳物からなり、外面にねじ孔形成用の凸部２３を有する略円筒状に形成されている。そして、他端側２１ｂから内部に略円筒状の可折接手２４が挿入するようにして、可折接手２４に取り付けられている。下部体２１は、回転されて位置決めされた後、ボルト２５により可折接手２４に固定されている。
【００２７】
アーム金具２２は、アルミニウム（Ａｌ）からなり、長方形の筒状（角パイプ）に形成され、下面中央部に上部体１９の内部に連通する図示しない開口を有しており、下面が上部体１９に図示しないネジにより固定されている。前記開口を通して、上部体１９の内部に配設している点灯装置４の出力線（リード線）がアーム金具２２の他端側２２ｂまで導入されている。
【００２８】
そして、アーム金具２２は、長手方向の両端側２２ａ、２２ｂにおいて、連結金具２６，２６を皿ネジ２７，２７で取り付けている。そして、連結金具２６，２６は、ボルト２８Ａ，２８により側面カバー６ａ，６ｂを取り付けている。すなわち、側面カバー６ａ，６ｂは、灯体本体５に取り付けられている。
【００２９】
側面カバー６ａは、伝熱性の金属例えばアルミニウム（Ａｌ）からなり、図５に示すように、前面下部側２９ａが突出している側面視略Ｌ形、前面視略楕円形の部材に形成されている。すなわち、前面下部側２９ａには、灯体本体５のアーム金具２２が挿入される深さが相対的に大きい長方形の凹部３０が形成され、前面上部側２９ｂには、グローブ３が嵌合される深さが相対的に小さい円状の溝部３１が形成されている。凹部３０の底面３０ａは、図５（ｂ）に示すように、アーム金具２２を充分に載置して支持できる大きさとなっている。
【００３０】
側面カバー６ａの背面２９ｃには、短幅方向の中心であって長手方向に沿う長方形状の凹部３２が形成され、さらにその凹部３２の底面３２ａに凹部３２よりも幾分小さい長方形状の凹部３３が形成されている。そして、凹部３３の底面３３ａから前面下部側２９ａの凹部３０に連通する円形の貫通孔３４が形成されている。
【００３１】
また、図５（ｃ）に示すように、凹部３２を挟んで背面２９ｃから凹部３０に連通する一対の貫通孔３５，３５が形成されている。さらに、凹部３２を挟んで背面２９ｃから溝部３０の内側の前面上部側２９ｂに貫通する一対の貫通孔３６，３６が形成されている。貫通孔３５，３５は、連結金具２６，２６の後述するねじ孔に対応して設けられ、貫通孔３６，３６は、ＬＥＤ体２の台座１０のねじ取付け部１７，１７に対応して設けられたものである。
【００３２】
また、前面上部側２９ｂには、図５（ａ）に示すように、円状の溝部３１の中心部に比較的大きい皿状の凹部３７が形成されている。そして、背面２９ｃには、図５（ｃ）に示すように、凹部３２を挟んで後述する側板をねじ止めするための一対のねじ孔３８，３８が設けられている。
【００３３】
側面カバー６ｂは、以下の点を除き、側面カバー６ａと同等に形成されている。すなわち、図６（ａ）および図６（ｂ）に示すように、凹部３３の底面３３ａから凹部３７に貫通する貫通孔３９が形成されている。また、凹部３３の底面３３ａに一対のねじ孔４０，４０が形成され、さらに凹部３２の底面３２ａに一対のねじ孔４１，４１が形成されている。一対のねじ孔４０，４０は、後述する中継基板を取り付けるためのものであり、一対のねじ孔４１，４１は、後述する中継基板カバーを取り付けるためのものである。また、貫通孔３９は、中継基板に配設された配線コネクタを挿通させるためのものである。凹部３３から凹部３０に貫通している貫通孔３４は、中継基板に配設された中継コネクタを貫通させるためのものである。
【００３４】
なお、凹部３２，３３および貫通孔３５，３６は、ボルトやネジの頭部がそれらから突出しないように設計されている。また、側面カバー６ａに設けた貫通孔３４および皿状の凹部３７は、側面カバー６ｂとの共用化を図るために設けたものであり、側面カバー６ａでは実用しなく、設けなくてもよいものである。
【００３５】
一対の側面カバー６ａ，６ｂは、ＬＥＤ体２およびグローブ３を固定するとともに、一対の連結金具２６，２６を介して灯体本体５のアーム金具２２に取り付けられている。まず、側面カバー６ａ，６ｂのアーム金具２２への取付けについて説明する。
【００３６】
連結金具２６，２６は、ステンレス（ＳＵＳ）からなり、直方体に形成され、アーム金具２２内に収納されている。そして、図８に示すように、アーム金具２２への設置面（下面）から背面（上面）に貫通するねじ孔４２が形成され、長手方向の一方の側面から他方の側面に貫通するねじ孔４３が形成されている。図中、ねじ孔４２およびねじ孔４３は、それぞれ１個が記載されているが、ねじ孔４２は、連結金具２６の幅方向に等間隔で３個形成され、ねじ孔４３は、幅方向のねじ孔４２，４２間にそれぞれ１個、合計２個形成されている。
【００３７】
そして、アーム金具２２の一端側２２ａおよび他端側２２ｂには、それぞれ連結金具２６のねじ孔４２に対応する皿孔４４が３個形成されている。この皿孔４４から皿ネジ２７を連結金具２６のねじ孔４２に締結する。こうして、アーム金具２２の両端側２２ａ，２２ｂに、それぞれ連結金具２６が配置（固定）されている。
【００３８】
そして、アーム金具２２の他端側２２ｂに他方の側面カバー６ｂが取り付けられる。この前に、側面カバー６ｂには、中継基板４５および中継基板カバー４６が取り付けられる。中継基板４５は、例えば紙フェノール材やガラスエポキシ材からなり、側面カバー６ｂの凹部３３に配設される大きさの長方形に形成され、中継コネクタ４７および配線コネクタ４８を配設している。基板カバー４５は、例えばアルミニウム板からなり、凹部３２に配設される大きさの長方形に形成されている。
【００３９】
中継基板４６は、中継コネクタ４７および配線コネクタ４８を側面カバー６ｂの貫通孔３４および貫通孔３９にそれぞれ挿通するようにして、凹部３３内に挿入され、ネジ４９，４９をねじ孔４０，４０に螺着することにより、凹部３３の底面３３ａに固定される。この後、例えばシリコーンからなり、凹部３２とほぼ同等の大きさの長方形に形成されたパッキン５０と、基板カバー４６とが凹部３２内に挿入される。そして、ネジ５１，５１をねじ孔４１，４１に螺着することにより、基板カバー４６は、パッキン５０を介して凹部３２の底面３２ａに固定される。これにより、中継基板４５が配設されている凹部３３内を水密にすることができる。
【００４０】
そして、アーム金具２２の他端側２２ｂに導入された点灯回路４の出力線の先端に取り付けられたコネクタ（図示しない。）をＯリング５２の内側に通して、側面カバー６ｂの凹部３０内に突出した中継コネクタ４７に接続する。この後、Ｏリング５２を凹部３０に挿入し、側面カバー６ｂを移動してアーム金具２２の他端側２２ｂを凹部３０に挿入させる。そして、２本のボルト２８を貫通孔３５，３５に挿入し、連結金具２６のねじ孔４３，４３に完全に螺着する。これにより、側面カバー６ｂは、アーム金具２２の他端側２２ｂに取り付けられる。
【００４１】
側面カバー６ａは、側面カバー６ｂの場合と同様にして、アーム金具２２の一端側２２ａに取り付けることができる。この前に、ＬＥＤ体２およびグローブ３を側面カバー６ａ，６ｂを取り付けられるようにする。
【００４２】
ＬＥＤ体２をグローブ３に収容し、基体８から導出されたリード線の先端に取り付けられたコネクタ（図示しない。）をＯリング５３の内側に通し、側面カバー６ｂの皿状の凹部３７内に突出している配線コネクタ４８に接続する。これにより、ＬＥＤ体２の発光ダイオード７は、中継基板４５を介して点灯装置４に接続される。この後、Ｏリング５３を溝部３１に嵌め込み、さらにグローブ３の他端側３ｂを溝部３１に嵌め込むようにする。
【００４３】
そして、図７に示すように、２本のボルト５４を貫通孔３６，３６に挿入し、ＬＥＤ体２の台座１０のねじ取付け部１７，１７に完全にねじ込む。これにより、ＬＥＤ体２は、側面カバー６ｂに固定される。この後、図８に示すように、側面カバー６ａの凹部３０にＯリング５５を挿入し、側面カバー６ａの溝部３１にＯリング５６を嵌め込み、側面カバー６ａを移動してアーム金具２２の一端側２２ａを凹部３０に挿入させ、溝部３１にグローブ３の一端側３ａを嵌め込む。
【００４４】
そして、２本のボルト２８Ａを側面カバー６ａの貫通孔３５，３５に挿入して、連結金具２６のねじ孔４３，４３に螺着するとともに、２本のボルト５４Ａを貫通孔３６，３６に挿入して、ＬＥＤ体２の台座１０のねじ取付け部１７，１７にねじ込む。これにより、一対の側面カバー６ａ，６ｂは、アーム金具２２の両端側２２ａ，２２ｂに取り付けられ、ＬＥＤ体２は、発光ダイオード７がグローブ３の頂上側を向くようにして一対の側面カバー６ａ，６ｂに固定され、グローブ３は、一対の側面カバー６ａ，６ｂに挟持されて固定される。
【００４５】
そして、一対の側面カバー６ａ，６ｂは、それぞれの背面２９ｃに側板５７ａ，５７ｂがそれぞれ被され、ねじ孔３８，３８にネジ５８Ａ，５８Ｂが螺着されて固定されるものである。灯体本体５のアーム金具２２内は、Ｏリング５２，５５により水密にされ、グローブ３内は、Ｏリング５３，５６により水密にされる。また、アーム金具２２には、複数のねじ孔５９が形成されており、図１（ｂ）に示すように、ねじ孔５９に螺着されたネジ６０により、防塵板６１が取り付けられている。
【００４６】
次に、本発明の一実施の形態の作用について述べる。
【００４７】
点灯装置５が給電されると、ＬＥＤ体２の発光ダイオード７が点灯し、発光ダイオード７から青色光が放射される。発光ダイオード７は、光軸を中心として互いに反対方向に光を放射するように構成され、複数個の発光ダイオード７のそれぞれの放射方向が揃うようにかつ等間隔で基体８に直線状に配設されているので、発光ダイオード７からの放射光は、主としてグローブ３の長手方向の両側から出射されるとともに、グローブ３の長手方向に亘ってほぼ均一に出射される。
【００４８】
ＬＥＤ標識灯１は、発光ダイオード７からの放射光が主としてグローブ３の長手方向の両側から出射され、グローブ３の周回方向に亘って出射されないので、放射光の出射効率が向上している。また、例えば空港の滑走路や誘導路または道路の出入口において、操縦士や運転者がグローブ３の長手方向を視認するようにＬＥＤ標識灯１を設置することにより、操縦者や運転者は、当該出入口を良好に確認することができる。ＬＥＤ標識灯１の設置方向は、灯体本体５の下部体２１を可折接手２４において回転させることにより行うことができる。
【００４９】
そして、発光ダイオード７が点灯すると、発光ダイオード７が発熱し、ＬＥＤ体２の基体８に伝熱される。基体８に伝熱された熱は、放熱シート９から台座１０に伝熱される。ここで、基体８および台座１０は、伝熱性を有する金属例えばアルミニウム（Ａｌ）により形成され、放熱シート９は、伝熱性を有する例えばポリエチレンテレフタレート樹脂から形成されているので、発光ダイオード７からの熱は、迅速に台座１０に伝熱される。
【００５０】
そして、台座１０をボルト５４，５４Ａにより固定している一対の側面カバー６ａ，６ｂは、伝熱性を有する金属例えばアルミニウム（Ａｌ）により形成されているとともに、外気に露出しているので、台座１０に伝熱した熱は、一対の側面カバー６ａ，６ｂに迅速に伝熱され、灯体本体５の外部空間（外気）に放出される。これにより、基体８に配設された発光ダイオード７は、グローブ３内に水密に設けられていても、その温度上昇が抑制されるようになる。この結果、発光ダイオード７の発光効率の低下を抑制することができるとともに、発光ダイオード７を長寿命化することができる。
【００５１】
そして、ＬＥＤ標識灯１は、通常、定期点検が行われる。また、例えば発光ダイオード７が寿命になったり、発光ダイオード７に開放や短絡が発生したりしてＬＥＤ体２に不具合が発生することがある。また、グローブ３に飛散物が当たって、グローブ３が傷つくことがある。このような場合には、臨時的に、メンテナンス作業が行われる。
【００５２】
ＬＥＤ標識灯１のメンテナンスを行うには、まず、防塵板６１をアーム金具２２から取り外し、ネジ５８Ａを取り外して、側板５７ａを側面カバー６ａから取り外す。そして、側面カバー６ａとＬＥＤ体２の台座１０を固定しているボルト５４Ａ，５４Ａを取り外す。この後、側面カバー６ａと連結金具２６を固定しているボルト２８Ａ，２８Ａを取り外す。このとき、グローブ３を例えば手で支えるようにする。これにより、側面カバー６ａは、アーム金具２２およびグローブ３から取り外される。
【００５３】
そして、グローブ３を長手方向に移動させてＬＥＤ体２を露出させる。このとき、台座１０を支えるようにすると好適であるが、台座１０の支持は、側面カバー６ｂにおけるボルト５４，５４で十分に保てるものである。そして、ＬＥＤ体２を交換するときには、中継基板４５に配設している配線コネクタ４８に対するリード線のコネクタの着脱を行って、新品に置き換える。発光ダイオード７を基体８ごと交換するには、基体８と台座１０を取り付けているねじ１２の着脱を行って、新品に置き換える。また、グローブ３を交換するには、新品を使用するようにする。そして、ＬＥＤ体２をグローブ３に収容して、上述したように、側面カバー６ａを連結金具２６およびＬＥＤ体２の台座１０に固定させるとともに、グローブ３を一対の側面カバー６ａ，６ｂに挟持するようにして固定させる。
【００５４】
このように、ＬＥＤ体２は、側面カバー６ｂに設けられた中継基板４５の配線コネクタ４８に配線されているので、配線がない側面カバー６ａを灯体本体５のアーム金具２２から容易に取り外すことができ、側面カバー６ａ、ＬＥＤ体２およびグローブ３の組み立てを容易に分解することができるとともに、容易に組み立てることができる。この結果、メンテナンス作業を迅速に行うことができて省力化を図ることができる。また、発光ダイオード７は、比較的長寿命であるので、メンテナンス期間を長くすることができ、省力化を図ることができる。
【００５５】
なお、中継基板４５の定期点検などを行うときには、側面カバー６ｂにおいて、側板５７ｂを取り外した後、中継基板カバー４６および中継基板４５を取り外して行う。中継コネクタ４７と点灯装置４の出力線のコネクタ、配線コネクタ４８とＬＥＤ体２のリード線のコネクタを取り外し、ボルト２８およびボルト５４を取り外すことにより、側面カバー６ａと同様にして、側面カバー６ｂ、ＬＥＤ体２およびグローブ３を容易に分解することができる。
【図面の簡単な説明】
【００５６】
【図１】本発明の一実施の形態を示すＬＥＤ標識灯であり、（ａ）は概略上面図、（ｂ）は概略正面図。
【図２】同じく、ＬＥＤ標識灯の概略側面図。
【図３】同じく、ＬＥＤ標識灯の概略正面縦断面図。
【図４】同じく、ＬＥＤ体の概略分解上面図。
【図５】同じく、一方の側板カバーであり、（ａ）は概略正面図、（ｂ）は（ａ）のＡ−Ａ方向の概略断面図、（ｃ）は概略背面図。
【図６】同じく、他方の側板カバーであり、（ａ）は概略正面図、（ｂ）は（ａ）のＢ−Ｂ方向の概略断面図、（ｃ）は概略背面図。
【図７】同じく、側面カバーおよびグローブの概略横断面図。
【図８】同じく、側面カバーおよびグローブの概略縦断面図。
【符号の説明】
【００５７】
１…ＬＥＤ標識灯
２…ＬＥＤ体
３…グローブ
４…点灯装置
５…灯体本体
６ａ，６ｂ…一対の側面カバー
８…基体
９…絶縁体としての放熱シート
【図１】
2010009973.tif 000003
【図２】
2010009973.tif 000004
【図３】
2010009973.tif 000005
【図４】
2010009973.tif 000006
【図５】
2010009973.tif 000007
【図６】
2010009973.tif 000008
【図７】
2010009973.tif 000009
【図８】
2010009973.tif 000010